(57)【要約】【課題】始動のランプ入力電力を必要以上に高くすることなく高出力、高照度化が実現可能であるとともに、コンパクトな長寿命の蛍光ランプを提供することを目的とする。【解決手段】電極が封装される屈曲バルブよりも電極を封装しない屈曲バルブの管径を大きくすることで、小形化を図りつつ、発光管の放電路長を確保し、発光効率を向上させることができる。さらに、排気用の細管を比較的大きく確保できるので効率よく排気でき、作業効率が向上する。【選択図】図１
2004362812.tif 000002
【特許請求の範囲】
【請求項１】
内面に蛍光体層が形成され、放電媒体が封入された３本以上のＵ字形屈曲バルブのＵ字形面が平行となるとともに、３本の屈曲バルブの各々の直線部が略同一円周上に位置するよう連結管によって連結され、１本の放電路が形成されており、電極が封装されるバルブ径よりも電極が封装されないバルブ径が径大である蛍光ランプと；
蛍光ランプ内に放電を生起可能なように設けられた電極手段と；
蛍光ランプの端部側に設けられた口金と；
を具備していることを特徴とする蛍光ランプ。
【請求項２】
一対の管径の異なる直線部を有し、内面に蛍光体層が形成され、放電媒体が封入されたバルブを複数本連結し、１本の放電路が形成された発光管と；
発光管の両端に封装された一対の電極と；
発光管の端部側に設けられた口金と；
発光管内に封入された封入ガスと；
を具備しており、径寸法の小さいバルブ径をｄ、径寸法の大きいバルブ径をＤとしたとき
１＜Ｄ／ｄ≦２．２であることを特徴とする蛍光ランプ。
【請求項３】
複数の直線部のうち管径の小さいバルブは、管径の大きいバルブに比べ、バルブ内壁に形成された保護膜および蛍光体層が厚いことを特徴とする請求項１または２記載の蛍光ランプ。
【請求項４】
バルブ径の大きい直線部を略同心円周上に配設し、バルブ径の大きい直線部により包囲された円周空間内の略同心円周上にバルブ径の小さい直線部を配設していることを特徴とする請求項２または３記載の蛍光ランプ。
【請求項５】
請求項１ないし４いずれか一記載の蛍光ランプと；
この蛍光ランプを点灯させる点灯装置と；
この蛍光ランプを支持するとともに内部に点灯装置を収容しているカバー体と；
を具備していることを特徴とする電球形蛍光ランプ
【請求項６】
請求項１ないし５いずれか一記載の蛍光ランプまたは電球形蛍光ランプと；
このランプが装着された器具本体と；
を具備していることを特徴とする照明器具。
【発明の詳細な説明】
【０００１】
【発明の属する技術分野】
本発明は、管径の異なるバルブを連結させることで光束維持率およびバルブ外観不良を改善した蛍光ランプ、電球形蛍光ランプおよび照明器具に関する。
【０００２】
【従来の技術】
電球形蛍光ランプは、複数のＵ字状のバルブを連結し、その両端に一対のフィラメント電極が封装された蛍光ランプを具備しており、小形、高効率、省電力、長寿命などの理由により、一般の４０Ｗ，６０Ｗ，１００Ｗ相当の白熱電球に代わって広く普及している。このような電球形蛍光ランプは、カバー体の一端側に口金が装着され、他端側にＵ字状のバルブを連結して形成された蛍光ランプが取着されており、内部に蛍光ランプを点灯させる点灯回路が収容されている（例えば、特許文献１参照）。
【０００３】
さらに近年、一般白熱電球との置換え可能な電球形蛍光ランプに加え、比較的光量の多いＨＩＤランプの代替としての蛍光ランプが切望されている。
【０００４】
【特許文献１】
特開２００２−１２６６６０号公報
【０００５】
【発明が解決しようとする課題】
しかし、特許文献１のような電球形蛍光ランプの外形寸法を維持したまま発光効率を向上させ、高照度化を図ったランプも可能であるが限界がある。そこで、外形寸法を多少犠牲にして発光管の放電路長を大きくすることにより、白熱電球サイズよりも大形ではあるが、高出力、高照度化が可能となる。
【０００６】
しかしながら、ランプの大形化を最小限に抑えつつ、放電路長を大きくするには、バルブ径を従来の電球形蛍光ランプとほぼ同等のものを使用し、限られたスペース内にコンパクトに実装する必要がある。このようにバルブ径が小さく放電路長が長いランプを点灯させるには、ランプ入力電力を大きくする必要があり、放電路長を大きくすることで始動電圧も高くなってしまう。電球形蛍光ランプに使用されている高周波点灯装置は、小形化されたカバー体内に収容しなければならないため、できるだけ小形化かつ簡略化する必要がある。しかし、始動電圧を確保することで点灯回路が大形化されるため、電球形蛍光ランプの発光管の始動電圧を高くすることは困難であった。さらに、バルブ径が小さくなるにつれ、発光管の管壁負荷が大きくなるため、蛍光体の劣化が生じやすく外観不良を発生する。さらに、蛍光ランプの寿命は、電極フィラメントに保持されているエミッタ量に比例するということは一般的に良く知られているが、バルブの細径化に伴い電極フィラメントは小形化する必要があるため、フィラメント電極の短寿命のおそれがある。
【０００７】
本発明は、上記課題に鑑みなされたものであり、高照度化が実現可能であるとともに、コンパクトで長寿命の蛍光ランプを提供することを目的とする。
【０００８】
【課題を解決するための手段】
請求項１記載の蛍光ランプは、内面に蛍光体層が形成され、放電媒体が封入された３本以上のＵ字形屈曲バルブのＵ字形面が平行となるとともに、３本の屈曲バルブの各々の直線部が略同一円周上に位置するよう連結管によって連結され、１本の放電路が形成されており、電極が封装されるバルブ径よりも電極が封装されないバルブ径が径大である蛍光ランプと；蛍光ランプ内に放電を生起可能なように設けられた電極手段と；蛍光ランプの端部側に設けられた口金と；を具備していることを特徴とするものである。
【０００９】
複数の屈曲バルブを連結し１本の放電路を形成したランプの製造工程において、放電路のほぼ中心に位置するバルブ端部から突出する細管から排気を行なうことで効率よく排気作業が行なえることは知られている。このように、中間に位置する屈曲バルブ径を大きくすることで、排気管の管径を比較的大きく確保することができ、排気作業を一層効率よく行なえる。排気工程後、排気管内に水銀封入媒体としてアマルガムを封入する場合においても、アマルガムの封入が容易となる。なお、電極が封装されるバルブ径が小さく、電極フィラメントを小形化せざるを得ない蛍光ランプにおいては、寿命が短くなるおそれがあるため、フィラメントをバルブの管軸と平行に取り付ける方法を採用することで、小形化を図りつつ、寿命の長い蛍光ランプとすることが可能となる。
【００１０】
また蛍光ランプは、Ｕ字形屈曲バルブのＵ字形面が平行に配置されるとともに、それぞれのバルブの直線部すなわち、バルブ端部が略同一円周上に位置するよう配置しているので、中間に位置する屈曲バルブは、両端に位置する電極を封装した屈曲バルブに比べて必然的に長く構成されることになる。また、両端に位置する電極が封装された屈曲バルブよりも中間に位置するバルブ径を大きくすることで、両端に位置する屈曲バルブよりも放電路庁が長く構成される中間バルブの発光面積を一層広く確保できる。さらに、両端に位置するバルブと中間に位置する管径が異なるバルブを同一円周上に配置しているので、バルブ同士が当接することなくバルブの屈曲部側から見て各々のバルブが重なり合うように近接配置することが可能である。したがって、コンパクトに構成された蛍光ランプにおいて、バルブ並設面積が狭小に制約される中で、発光管の放電路長を確保し、発光効率を向上させることができる。
【００１１】
発光管を構成するＵ字形屈曲バルブの屈曲部の形状はＨ字形、Ｕ字形、コ字形などに形成されているものを含む。しかし、鉛直下方向の照度を向上させるには、屈曲バルブの屈曲部の一部に非放電空間が形成されないすなわち、１本の屈曲バルブ全体の管径が略同一になるよう形成されたＵ字形であることが好ましい。なお、バルブ屈曲部の断面形状は、円径、楕円径、涙滴形、三角形など特に限定されない。
【００１２】
発光管は、紫外線または容器内に形成された蛍光体膜が照射する可視光を透過し得て、かつ内部に放電を周囲の雰囲気から隔離して包囲できる容器であればよくその材質等は限定されない。一般的には環境、経済性及び加工性などの理由からソーダライムガラスが使用されることが多い。
【００１３】
電極は、通常フィラメントコイルを備えた熱陰極が使用されるが、本発明は冷陰極、電子放射物質を有するセラミック電極などでも構わない。端部から一定以上の距離を有して配置された電極を支持するリード線は、バルブ端部に封装されるフレアステムまたはボタンステムなどに封着されているものの他、リード線を直接封着するピンチシールなどの方法によって封着されていてもよい。
【００１４】
請求項１記載の蛍光ランプによれば、電極を封装されるバルブよりも電極を封装しないバルブの管径を大きく３本以上の屈曲バルブのＵ字形面が平行となるとともに、各々の直線部が略同一円周上に配置しているので、小形化を図りつつ、放電路長を確保し、発光効率を向上させることができる。さらに、排気用の細管を比較的大きく確保できるので効率よく排気でき、作業効率が向上する。
【００１５】
請求項２記載の蛍光ランプは、一対の管径の異なる直線部を有し、内面に蛍光体層が形成され、放電媒体が封入されたバルブを複数本連結し、１本の放電路が形成された発光管と；発光管の両端に封装された一対の電極と；発光管の端部側に設けられた口金と；発光管内に封入された封入ガスと；を具備しており、径寸法の小さいバルブ径をｄ、径寸法の大きいバルブ径をＤとしたとき１＜Ｄ／ｄ≦２．２であることを特徴とするものである。
【００１６】
発光管を構成する一対の管径の異なる直線部を有する屈曲バルブの  屈曲部の形状はＨ字形、Ｕ字形、コ字形などに形成されているものを含み、屈曲部の断面形状は、円径、楕円径、涙滴形、三角形など特に限定されない。
【００１７】
径寸法の異なるバルブＤ／ｄが２．２よりも大きくなるとバルブ径の異なるバルブ間の光出力に大きな差異が生じて、平面配光が不均一になるおそれがある。さらに、バルブ径に大きな差が異なることに伴い、管径の小さいバルブと管径の大きいバルブの管壁負荷の差が生じる。すなわち、管壁負荷の大きい管径の小さいバルブの発熱が大きくなるため、点灯が不安定となる。さらに、接続強度の低下、発光管の排気や始動の効率が低下するおそれがある。したがって、管径の小さいバルブと大きいバルブの関係は、１＜Ｄ／ｄ≦２．２である必要がある。
【００１８】
請求項２記載の蛍光ランプは、バルブ径の異なる管径を規制しているので、例えば電極が封装されたバルブを、電極が封装されないバルブよりも小さくしたランプであれば、小径のバルブに封装される電極フィラメントが小さくなり、必然的に電子放射物質の保持量が少なくなるので寿命が短くなる。さらに、電極とバルブとが近接し、電極の熱でバルブが劣化しやすくなったり、電子放射物質がバルブ内壁に付着することにより、外観不良が生じるなどの問題がある。しかしこれらの問題は、電極の封装方向などにより解消しえる。すなわち、電極が封装されないバルブを電極が封装されたバルブよりも径大にしたランプは、後述する実験結果により光束維持率が高くなることが実証された。一方、電極が封装されたバルブを電極が封装されないバルブ径よりも大きく形成した場合、電極フィラメントを小形化する必要がないのでランプ寿命が短くなることが抑制されるとともに、電極周辺部のバルブ内面が電子放射物質などの付着などによる外観不良が抑制される。
【００１９】
請求項３記載の蛍光ランプは、請求項１または２記載の蛍光ランプの複数の直線部のうち管径の小さいバルブは、管径の大きいバルブに比べ、バルブ内壁に形成された保護膜および蛍光体層が厚いことを特徴とするものである。
【００２０】
蛍光ランプは、電極に電流を流すことで、電極から電子放射物質が放出される。電極から放出された電子は管内に封入された水銀原子と衝突し、その衝突のエネルギーを受けて紫外線が発生する。バルブ内壁に形成された蛍光体層は紫外線を受けて可視光線を発生する。本発明のように、管径の異なるバルブを連結して１本の放電路が形成されたランプを入力電力一定で点灯させると、管径の小さいバルブは、管径の大きいバルブに比べて、管壁負荷が高くなる。これは、蛍光ランプの管壁負荷は、単位面積あたりの電圧により決定されるからであり、管径の小さいバルブは発光管内に流れる電流量、すなわち、バルブの単位断面積あたりのランプ電流密度が増すためである。このように、ランプ電流密度が増すにしたがい、水銀との反応により発生する紫外線放射密度も増すため、バルブ外に透過する紫外線量も増加するため、周囲の照射物への紫外線照射による影響を低減させるためには蛍光体層を従来よりも厚くする必要がある。
【００２１】
バルブ内面に形成される蛍光体膜の材料は、３波長形の希土類蛍光体や連続波長発光形のハロリン酸塩蛍光体などを使用できるが、その材料などは特に限定されない。なお、蛍光体層の膜厚は、蛍光体層をスラリー状にして塗布するためバルブ内面において一様ではない場合が多く、平均膜厚と定義される。
【００２２】
保護膜は、バルブ内面に直接蛍光体層を形成した場合、発光管内に封入した水銀が蛍光体膜を透過してバルブと直接接触し、バルブを構成するガラス中のアルカリ、特にナトリウムが抜けた空孔に水銀が進入しバルブ変色を生じたり、ガラス中のＮａが水銀とアマルガムを生成することなどを抑制するために、ガラスバルブ内壁と蛍光体層の間に形成することが一般的であり、好ましい。しかし、バルブ内壁面に蛍光体層の下地として保護膜を形成し、さらに蛍光体層上に保護膜を形成するなど、保護を形成する領域は本発明において特に限定されない。保護膜の材料はＺｎＯ、ＴｉＯ２、Ａｌ２Ｏ３およびＢ２Ｏ３など特に限定されない。
【００２３】
なお、上述のように、管径の大きいバルブより管壁負荷の大きい細径のバルブにおいては、径大バルブに比べ、単位面積あたりの紫外線照射密度が増すので、水銀のイオンがバルブと直接接触することによるバルブ劣化を抑制するために保護膜を厚く形成する必要がある。
【００２４】
しかし、保護膜を極端に厚く形成しすぎると問題が生じるおそれがある。一般的に保護膜はガラスバルブ内壁面との密着性、保護膜の強度などを考慮し、例えばＡｌ２Ｏ３を主成分とする保護膜であれば、その厚さは１００〜２０００ｎｍ程度に設定されている。これは、６００℃を超える温度で焼成されることで、結晶系が変化してガラスバルブに対する密着性が低下し、保護膜および蛍光体層に亀裂が発生しやすくなるからである。しかし、保護膜を形成する材料やガラスの組成、製造工程、点灯中の熱などそれぞれを考慮し、適宜最適に設定する必要がある。
【００２５】
請求項３記載の蛍光ランプによれば、請求項１または２記載の作用に加え、管径の小さいバルブの保護膜および蛍光体層を厚く形成したので、管径の小さい管壁負荷の大きいバルブの着色などの外観不良を抑制し光束劣化を抑制できる蛍光ランプを提供することができる。
【００２６】
請求項４記載の蛍光ランプは、請求項２または３記載の蛍光ランプのバルブ径の大きい直線部を略同心円周上に配設し、バルブ径の大きい直線部により包囲された円周空間内の略同心円周上にバルブ径の小さい直線部を配設していることを特徴とするものである。
【００２７】
請求項４記載の蛍光ランプによれば、バルブ径の大きい直線部をバルブ径の小さい直線部よりも外円周上に並設しているので、径大なバルブからの出力光を増加させることが可能となる。
【００２８】
請求項５記載の電球形蛍光ランプは、請求項１ないし４いずれか一記載のカバー体の電気接続部がねじ込み式の口金である請求項１ないし４いずれか一記載の蛍光ランプと；一方側に口金が他方側に発光管がそれぞれ取付けられたカバー体と；蛍光ランプを点灯させる点灯回路を構成する複数の電子部品および、この電子部品が両面に実装された回路基板を有し、カバー体内に収容された点灯装置と；を具備していることを特徴とするものである。
【００２９】
請求項５記載の電球形蛍光ランプは、請求項１ないし４いずれか一記載の発明の作用を有する蛍光ランプを備えた電球形蛍光ランプを提供することができる。
【００３０】
請求項６記載の照明器具は、請求項１ない５いずれか一記載の電球形蛍光ランプと；この電球形蛍光ランプが装着された器具本体と；を具備しているものである。
【００３１】
請求項６記載の照明器具によれば、請求項１ない５いずれか一記載の発明の作用を有する電球形蛍光ランプを備えた照明器具を提供することができる。
【００３２】
【発明の実施の形態】以下、本発明の実施の形態を図面を参照して説明する。
【００３３】
図１は電球形蛍光ランプの側面図、図２は、図１の電球形蛍光ランプの上面図、図３は図１の電球形蛍光ランプの発光管展開側面図、図４は発光管一部拡大断面図である。
【００３４】
図において１０は電球形蛍光ランプで、この電球形蛍光ランプ１０はカバー体２０、口金３０、仕切体４０に取り付けられた発光管５０および点灯装置を備えている。
【００３５】
以下カバー体２０の一端側すなわち口金３０側を上側、他端側すなわち発光管５０側を下側として説明する。
【００３６】
カバー体２０は、例えばポリブチレンテレフタレート（ＰＢＴ）などの白色の耐熱性合成樹脂などにて発光管５０側の下方に拡開する略円筒状に形成されている。
【００３７】
口金３０はエジソンタイプのＥ２６型で、点灯装置との配線後にカバー体２０の上端部に被され、接着剤またはかしめなどにより固定されている。
【００３８】
仕切体４０は、カバー体２０の下端の開口部に取り付けられるもので、例えばポリブチレンテレフタレートなどの耐熱性合成樹脂にて円板状に形成されている。仕切体４０には発光管５０が挿通される図示しない複数の取付孔が形成され、これら取付孔に発光管５０の端部が挿通された状態で例えばシリコーン樹脂などの接着剤で固定される。
【００３９】
発光管５０は、図３および図４に示すようにガラス製のバルブ５１を有し、このバルブ５１の内面に例えば３波長形の蛍光体層７０および保護膜８０が形成され、発光管５０の内部にアルゴンなどの希ガスや水銀などを含む封入ガスが封入され、発光管５０の両端に一対の電極５２がピンチシールなどによって封着されている。なお保護膜８０は、例えば可視光線を透過する金属酸化物からなる透明性の金属酸化物としてのＺｎＯおよびＴｉＯ２を主体として形成されている。
【００４０】
電極５２が封装された両端に位置する管径の小さいバルブ５１ａは、管外径１２．３ｍｍ、管内径１０．３ｍｍであり、内面には膜厚１．８〜２μｍのＺｎＯを主体とした保護膜８０と、保護膜８０のさらに上には膜厚２０〜２３μｍの三波長形発光形の希土類金属蛍光体からなる蛍光体層７０が塗布されている。電極５２が封装されない中間に位置する３本のバルブのうち、電極５２が封装されたバルブ５１ａと隣り合うバルブ５１ｂは、管外径１５．５ｍｍ、管内径１３．５ｍｍ、さらに、このバルブ５１ｂに連結されたバルブ５１ｃの管外径は、１７．５ｍｍ、管内径１５．５ｍｍで、膜厚０．８〜１μｍの保護膜８０と、膜厚１８〜２０μｍの蛍光体層７０が形成されている。
【００４１】
このような５本のＵ字形屈曲バルブ５１は、それぞれ連結管５３により順次連結され、放電路長が８８０〜９００ｍｍ程度に形成されている。また、発光管５０が円板状の仕切体４０に組み込まれた状態において、Ｕ字形屈曲バルブ端部５１が蛍光ランプ５０の上下方向を長手方向とする中心軸を中心とする１つの円周上に位置されるとともに、各々のＵ字形バルブのＵ字形面が互いに対向するように配置されている。また、Ｕ字形屈曲バルブの一対の端部のうち一端には、細管５４が連通状態で突設されている。この細管５４の一部を通じて排気されるとともに、封入ガスが封入されて水銀蒸気圧を周囲温度２５℃で０．６Ｐａ以下となるように置換された後、各細管５４を溶断して封止される。なお、管径が一番大きい中央に位置する屈曲バルブ５１ｃに設けられた細管５４内には、比較的水銀蒸気圧に近い水銀蒸気圧特性を有するＢｉ−Ｓｎ−Ｈｇからなるアマルガム（図示しない）が封入されている。
【００４２】
電極５２は、フィラメントコイル５２ａを有し、このフィラメントコイル５２ａが一対のウェルズ５２ｂに支持される。長さの異なる一対のウェルズ５２ｂを用いてバルブ５１軸と平行になるようフィラメントコイル５２ａが取り付けられている。
【００４３】
なお、電極５２のウェルズ５２ｂおよび、中間に位置するバルブ端部には、主アマルガムと同様の水銀蒸気圧特性を有する補助アマルガム（図示しない）が取り付けられている。
【００４４】
また、点灯装置は、カバー体２０内に配置される図示しない略円板状の回路基板を備え、この回路基板の口金側の一面、あるいは口金側と発光管側との両面に複数の電気部品が実装されて、発光管を高周波点灯させるインバータ回路つまり、高周波点灯回路が構成されている。
【００４５】
次に、電極を有するバルブを１２．３ｍｍ、電極を有するバルブに囲まれた電極を有さないバルブの管径および２０００時間光束維持率の関係を図５に示し、径小バルブの保護膜及び蛍光体膜の膜厚および２０００時間光束維持率の関係を図６に示す。図５からわかるように、バルブ径が大きくなるほど２０００時間の光束維持率は高くなり、図６からは、管径の小さいバルブにおいて、保護膜および蛍光体層を厚くすることで、光束維持率が高くなる結果となった。これは、１本の放電路長の中で比較的大きい割合を占める中間に位置するバルブ５１ｂ、５１ｃを径大にすることで、中間に位置するバルブ５１ｂ、５１ｃからの光出力を高めることができ、陽光柱効率が良くなるためと思われる。また、図６の保護膜８０および蛍光体層７０の膜厚と光束維持率の関係によると、保護膜８０が０．２〜０．５μｍでは、光束維持率が８２％程度であり、視感でもバルブ５１の着色が確認できるが、膜厚を１〜２μｍとすることで、光束維持率が８７％程度となり、バルブ５１の着色も視感では確認できなかった。保護膜８０および蛍光体層７０の厚さと光束維持率の関係は特に、管径の小さいバルブ５１ａに顕著に表れる結果であった。
【００４６】
上述のように、５本のＵ字管５１のうち、電極５２が封装されたバルブ径よりも電極５４が封装されないバルブ径を大きくするとともに、バルブ径が小さくなるにともない蛍光体層７０および保護膜８０を厚くしているので、紫外線の吸収作用としては十分であり、紫外線のガラスバルブへの透過およびそれによるバルブ着色を抑制することができる。さらに、点灯中水銀が蛍光体層７０及び保護膜８０は十分な厚みがあるため、水銀がガラスバルブへ打ち込まれることによるガラスの着色を抑制することができる。また、電極フィラメント５２ａをバルブ長手方向と平行となるよう封着したので、ランプ寿命が短くなる問題もない。また、中央に位置するＵ字形屈曲バルブ５１ｃの屈曲部の曲率に沿って隣り合うバルブ５１ｂ、５１ａの屈曲部が段違い的に配置されているので、回転対象性にも優れているので、水平方向の配光が均一になりやすく、輝度ムラを低減することができる。
【００４７】
図７は、本発明第２の実施の形態における定格電力６０Ｗのコンパクト形蛍光ランプ１１を示す側面図、図８は図７のコンパクト形蛍光ランプ１１の上面図である。
【００４８】
図において図１ないし図４と同一部分については同一符号を付して説明する。
【００４９】
図７に示すコンパクト形蛍光ランプ１１は、ガラス製の発光管５０と、この発光管５０の端部に設けられた樹脂製の口金３０とを備えている。
【００５０】
発光管５０は、管外径１２．３ｍｍと１５．５ｍｍの管径の異なる直管バルブ先端近傍をＨ字状に繋げた６本のＨ字状屈曲バルブを隣り合うバルブの管径が異なるよう連結管５３により連結させ１８００ｍｍの１本の屈曲した放電路が形成されている。なお、管径の大きい６本の直管バルブ５１ｂを円板状の仕切体４０の円周上に等間隔に配置し、このバルブ５１ｂに囲まれた円周上の２本のほぼ中間に位置するとともに、これらバルブ５１ｂに囲まれた円周上に管径の小さいバルブ５１ａが６本等配されている。
【００５１】
発光管１０の両端部には、フィラメントコイルからなる電極５２が形成されている。また、管径の大きいバルブ５１ｂ内面には０．８μｍの保護膜８０と、１８μｍの蛍光体層７０が、管径の小さいバルブ５１ａ内面には２μｍの保護膜８０と、２３μｍの蛍光体層７０が形成されているとともに、内部には、後述する水銀媒体と希ガスなどが所定量封入されている。なお、水銀媒体としての後述するアマルガムは、バルブ５１内と連通するよう少なくとも一のバルブ端部に封着された細管内に封入されている。
【００５２】
電極５２および細管が封着されたバルブ端部側を図示しないシリコーン樹脂などによりカバー体２０に接着することでコンパクト形蛍光ランプ１１が組み立てられる。
【００５３】
本実施形態のコンパクト形蛍光ランプ１１のランプ電圧は２００Ｖ、発光管１０からの光出力は全光束約２４００ｌｍとなっている。
【００５４】
なお、図９ないし図１１に示すようなコンパクト形蛍光ランプのように、直線部の管径が異なるＵ字形屈曲バルブ５１の管径の大きいバルブ５１ｂを仕切体４０の円周上に等間隔に配置し、このバルブ５１ｂに囲まれた円周上に管径の小さいバルブ５１ａが６本連結させたものであっても同様の作用効果を奏することができる。
【００５５】
このように管径の異なるバルブ５１を順次連結させるとともに、管径の大きいバルブ５１ｂを管径の小さいバルブ５１ａよりも外円周に配置しているので平面方向の光出力が改善されるとともに、小形化することが可能となる。
【００５６】
次に本発明の一実施形態である照明器具を図１２を用いて説明する。図１２は本発明の照明器具の一実施形態を示す断面概略図である。図において１２はコンパクト形蛍光ランプ、９０は埋め込み形照明器具本体である。器具本体９０は、基体９１と反射板９２などより構成されている。
【００５７】
【発明の効果】
請求項１記載の発明によれば、電極が封装される屈曲バルブよりも電極を封装しない屈曲バルブの管径を大きくすることで、小形化を図りつつ、発光管の放電路長を確保し、発光効率を向上させることができる。さらに、排気用の細管を比較的大きく確保できるので効率よく排気でき、作業効率が向上する。
【００５８】
請求項２記載の発明によれば、径寸法の異なる屈曲バルブの管径を規制することにより、小形化を図りつつ、発光管の放電路長を確保し、発光効率を向上させることができる。さらに、排気作業の効率を改善することもできる。
【００５９】
請求項３記載の発明によれば、請求項１または２記載の作用に加え、管径の小さいバルブの保護膜および蛍光層を厚く形成したので、管径の小さい管壁負荷の大きいバルブの着色などの外観不良を抑制し光束劣化を抑制できる蛍光ランプを提供することができる。
【００６０】
請求項４記載の発明によれば、バルブ径の大きい直線部をバルブ径の小さい直線部よりも外円周上に並設しているので、径大なバルブからの出力光を増加させることが可能となる。
【００６１】
請求項５記載の電球形蛍光ランプは、請求項１ないし４いずれか一記載の発明の作用を有する蛍光ランプを備えた電球形蛍光ランプを提供することができる。
【００６２】
請求項６記載の照明器具によれば、請求項１ない５いずれか一記載の発明の作用を有する電球形蛍光ランプを備えた照明器具を提供することができる。
【図面の簡単な説明】
【図１】本発明第一の実施形態である電球形蛍光ランプの側面。
【図２】図１の電球形蛍光ランプの上面図。
【図３】図１の電球形蛍光ランプの発光管展開側面図。
【図４】バルブ一部拡大断面図。
【図５】バルブの管径および２０００時間光束維持率の関係を示すグラフ。
【図６】保護膜及び蛍光体膜の膜厚および２０００時間光束維持率の関係を示すグラフ。
【図７】本発明第二の実施の形態のコンパクト形蛍光ランプの側面図。
【図８】図７のコンパクト形蛍光ランプの上面図。
【図９】別のコンパクト形蛍光ランプの側面図。
【図１０】図９のコンパクト形蛍光ランプの上面図。
【図１１】図９のコンパクト形蛍光ランプの発光管展開側面図。
【図１２】本発明照明器具の一実施形態を側面一部断面図。
【符号の説明】
２０…カバー体、３０…口金、４０…仕切体、５０…蛍光ランプ、
５１ａ…管径の小さいバルブ、５１ｂ…管径の大きいバルブ、
５２…電極、５３…連結管、７０…蛍光体層、８０…保護膜
【図１】
2004362812.tif 000003
【図２】
2004362812.tif 000004
【図３】
2004362812.tif 000005
【図４】
2004362812.tif 000006
【図５】
2004362812.tif 000007
【図６】
2004362812.tif 000008
【図７】
2004362812.tif 000009
【図８】
2004362812.tif 000010
【図９】
2004362812.tif 000011
【図１０】
2004362812.tif 000012
【図１１】
2004362812.tif 000013
【図１２】
2004362812.tif 000014